(57)【要約】【課題】出力端子に負荷が接続されない場合でも信号切替回路と中間周波増幅器との間のインピーダンス整合を確保してアイソレーション特性の劣化を防止すると共に、負荷が接続される出力端子に出力される信号のレベル変化を少なくする。【解決手段】偏波方式の異なる複数の受信信号をそれぞれ中間周波信号に変換する複数の混合器４、１０と、中間周波信号を択一的に選択的して複数の出力端子１４、１５にそれぞれ独立して導出する信号切替回路３０と、信号切替回路３０と各出力端子１４、１５との間に介挿され、各出力端子１４、１５に対応して設けられた複数の中間周波増幅器１２、１３とを備え、中間周波増幅器のうち、負荷が接続されない出力端子１５に対応する中間周波増幅器１３に流す電流を、負荷が接続された出力端子１４に対応する中間周波増幅器１２に流す電流よりも少なくした。【選択図】        図１
2004235801.tif 000002
【特許請求の範囲】
【請求項１】
偏波方式の異なる複数の受信信号をそれぞれ中間周波信号に変換する複数の混合器と、前記中間周波信号を択一的に選択的して複数の出力端子にそれぞれ独立して導出する信号切替回路と、前記信号切替回路と前記各出力端子との間に介挿され、前記各出力端子に対応して設けられた複数の中間周波増幅器とを備え、前記中間周波増幅器のうち、負荷が接続されない前記出力端子に対応する中間周波増幅器に流す電流を、負荷が接続された前記出力端子に対応する中間周波増幅器に流す電流よりも少なくしたことを特徴とする衛星放送受信用ダウンコンバータ。
【請求項２】
前記各出力端子に対応して設けられ、前記負荷から前記出力端子にそれぞれ給電された電圧を一定の電圧に安定化する定電圧回路と、前記混合器等に電源電圧を供給するための共通の電源ラインとを有し、前記各定電圧回路の出力電圧を各第一のダイオードを介して前記共通の電源ラインに供給し、前記各中間周波増幅器には前記出力端子に対応する前記定電圧回路の出力電圧を各第二のダイオードを介して供給すると共に、前記電源ラインの電圧を電圧降下手段を介して供給したことを特徴とする請求項１に記載の衛星放送受信用ダウンコンバータ。
【請求項３】
前記電圧降下手段を第三のダイオードで構成したことを特徴とする請求項２に記載の衛星放送受信用ダウンコンバータ。
【請求項４】
前記第三のダイオードを複数個直列に接続したことを特徴とする請求項３に記載の衛星放送受信用ダウンコンバータ。
【発明の詳細な説明】
【０００１】
【発明の属する技術分野】
本発明は、例えば左旋偏波及び右旋偏波等の偏波方式の異なる衛星放送の中間周波信号を二つの出力端子に任意に出力する衛星放送受信用ダウンコンバータに関する。
【０００２】
【従来の技術】
従来の衛星放送受信用ダウンコンバータは図２に示すように、アンテナ２１より入力される衛星放送信号は左旋偏波信号（Ｌ信号）及び右旋偏波信号（Ｒ信号）に分離され、それぞれ低雑音増幅器２２−１、２２−２、帯域通過フィルタ２３−１、２３−２、及び局部発振器２４−０の発振周波数とのビートをとるミキサ回路２５−１、２５−２よりなる独立した２系統の伝達系に供給される。
【０００３】
上記２信号はそれぞれ上記２系統の伝達系で中間周波数の信号に変換された後、信号切替回路（スイッチング回路）３１−０に導かれ、ここで、Ｌ信号あるいはＲ信号の選択が行われる。上記信号切替回路３１−０で選択された２信号はそれぞれ中間周波増幅器３２−１、３２−２で増幅され、独立した出力端子２８−１、２８−２にＬ信号あるいはＲ信号が出力される。
【０００４】
上記信号切替回路３１−０及び中間周波増幅器３２−１、３２−２は集積回路（ＩＣ）３３−０内に形成される。そして上記集積回路３３−０には上記信号切替回路３１−０の制御端子Ａと中間周波増幅器３２−１、３２−２の電源のオン／オフをコントロールする制御端子Ｂが設けられる。
【０００５】
出力端子２８−１、２８−２には選択しようとするＬ信号あるいはＲ信号に応じて、対応する例えばＤＣ１６Ｖ〜２１ＶあるいはＤＣ１０．５Ｖ〜１４．５Ｖ等のＤＣ電圧が供給されるので、この出力端子２８−１あるいは２８−２への印加電圧をコンパレータ２９−０はＬｏｗあるいはＨｉｇｈの信号として検出し、この信号に基づく制御信号を上記信号切替回路３１−０に供給する。従って、信号切替回路３１−０は、Ｌ信号あるいはＲ信号を選択して次段の中間周波増幅器３２−１、３２−２に供給して、出力端子２８−１あるいは２８−２よりＬ信号あるいはＲ信号を出力する。なお、各回路にはＤＣ電圧が入力される電源回路３０−０から給電される。
【０００６】
そして、例えば一方の出力端子２８−２が無負荷になると、コンパレータ２９−０にはＬｏｗ選択時の電圧（１０．５Ｖ〜１４．５Ｖ）以下の０Ｖの電圧が供給される。その結果、上記コンパレータ２９−０より上記出力端子２８−２に接続された中間周波増幅器３２−２に対して、電源電圧をオフにする制御信号を供給する。
【０００７】
従って、無負荷の出力端子２８−２に接続された中間周波増幅器３２−２は動作を停止し、無負荷の出力端子２８−２でのインピーダンスの不整合による反射がなくなり、出力端子２８−１、２８−２間のアイソレーションの劣化を防止するようにしている（例えば、特許文献１参照。）。
【０００８】
【特許文献１】
特開平１０−１９０５０６号公報（図１）
【０００９】
【発明が解決しようとする課題】
上記の構成では負荷が接続されない出力端子とそれに対応した中間周波増幅器との間では、その中間周波増幅器の動作が停止するので信号の反射が起きないが、動作を停止された中間周波増幅器はその入力インピーダンス大きく変化するので、その前段の信号切替回路との間ではインピーダンスのミスマッチが起きる。従って、このミスマッチによる信号の反射によって信号切替回路内で依然としてアイソレーション特性の劣化が生じ、さらには出力すべき他方の中間周波増幅器に入力される信号のレベルも変化する。このレベル変化は出力端子に接続される負荷、すなわち選局装置側のＡＧＣ特性を損ねることになる。
【００１０】
本発明は、出力端子に負荷が接続されない場合でも信号切替回路と中間周波増幅器との間のインピーダンス整合を確保してアイソレーション特性の劣化を防止すると共に、負荷が接続される出力端子に出力される信号のレベル変化を少なくすることを目的とする。
【００１１】
【課題を解決するための手段】
本発明は、上記課題を解決するため、偏波方式の異なる複数の受信信号をそれぞれ中間周波信号に変換する複数の混合器と、前記中間周波信号を択一的に選択的して複数の出力端子にそれぞれ独立して導出する信号切替回路と、前記信号切替回路と前記各出力端子との間に介挿され、前記各出力端子に対応して設けられた複数の中間周波増幅器とを備え、前記中間周波増幅器のうち、負荷が接続されない前記出力端子に対応する中間周波増幅器に流す電流を、負荷が接続された前記出力端子に対応する中間周波増幅器に流す電流よりも少なくした。
【００１２】
また、前記各出力端子に対応して設けられ、前記負荷から前記出力端子にそれぞれ給電された電圧を一定の電圧に安定化する定電圧回路と、前記混合器等に電源電圧を供給するための共通の電源ラインとを有し、前記各定電圧回路の出力電圧を各第一のダイオードを介して前記共通の電源ラインに供給し、前記各中間周波増幅器には前記出力端子に対応する前記定電圧回路の出力電圧を各第二のダイオードを介して供給すると共に、前記電源ラインの電圧を電圧降下手段を介して供給した。
【００１３】
また、前記電圧降下手段を第三のダイオードで構成した。
【００１４】
また、前記第三のダイオードを複数個直列に接続した。
【００１５】
【発明の実施の形態】
本発明の構成を示す回路を図１に示す。第一の入力端子１に入力された、例えば１２ＧＨｚ帯の左旋回の衛星放送信号（Ｌ信号）は第一の低雑音増幅器２によって増幅され、次段の第一のバンドパスフィルタ３を介して第一の混合器４に入力される。局部発振器５から出力された局部発振信号は第一の混合器４に入力される。そして、第一の混合器４からほぼ１ＧＨｚの左旋回の中間周波信号が出力される。第一の中間周波信号は第一の中間周波前置増幅器６を介して信号切替回路３０の第一の入力端３０ａに入力される。
【００１６】
一方、第二の入力端子７に入力された、例えば１２ＧＨｚ帯の右旋回の衛星放送信号（Ｒ）は第二の低雑音増幅器８によって増幅され、次段の第二のバンドパスフィルタ９を介して第二の混合器１０に入力される。局部発振信号は第二の混合器１０にも入力される。そして、第二の混合器１０から出力された右旋回の中間周波信号は第二の中間周波前置増幅器１１を介して信号切替回路３０の第二の入力端３０ｂに入力される。
【００１７】
信号切替回路３０は第一の入力端３０ａに接続された第一の抵抗分配器３１と、第二の入力端３０ｂに接続された第二の抵抗分配器３２と、二つの抵抗分配器３１、３２の各一方の出力端を切り替える第一の切替スイッチ３３と、各他方の出力端を切り替える第二の切替スイッチ３４とを有する。そして、各切替スイッチ３３、３４の出力端がそれぞれ信号切替回路３０の第一の出力端３０ｃ、第二の出力端３０ｄに接続される。
【００１８】
以上の信号切替回路３０の構成によって、第一の出力端３０ｃには第一の入力端３０ａに入力された左旋回の中間周波信号又は第二の入力端３０ｂに入力された右旋回の中間周波信号が出力され、第二の出力端３０ｄにも、第一の出力端３０ｃとは独立して第一の入力端３０ａに入力された左旋回の中間周波信号又は第二の入力端３０ｂに入力された右旋回の中間周波信号が出力される。
【００１９】
信号切替回路３０の第一の出力端３０ｃと第一の出力端１４との間には第一の中間周波出力増幅器１２が接続され、信号切替回路３０の第二の出力端３０ｄと第二の出力端子１５との間には第二の中間周波出力増幅器１３が接続される。また、第一の出力端子１４と第二の出力端子１５にはそれぞれ第一の屋内に引き込まれたケーブル（図示）が接続され、屋内にはケーブルにそれぞれ接続された負荷としての選局装置（図示せず）が設置される。そして、この選局装置から各ケーブルを介して各出力端子１４、１５に電源用の直流電圧が給電される。また、直流電圧には第一及び第二の切替スイッチ３３、３４の切替動作を制御するための信号が重畳される。
【００２０】
第一の出力端子１４に給電された直流電圧と第二の出力端子１５に給電された直流電圧はそれぞれ第一の定電圧回路１６、第二の定電圧回路１７によって同一の一定電圧に安定化される。安定化された電圧はそれぞれ逆流防止用の第一のダイオード１８、１９を介して共通の電源ライン２０に送られる。第一のダイオード１８、１９は電圧降下の機能も果たしている。そして、信号切替回路３０よりも前段側の各回路（低雑音増幅器１等）に電源ライン２０から給電される。また、二つの中間周波出力増幅器１２、１３には電源ライン２０からそれぞれ電圧降下手段２１、２２を介して給電される。電圧降下手段２１、２２としては抵抗を使用しても良いが、通常はダイオード（第三のダイオード）等が使用される。第三のダイオードは逆流防止用としての機能も果たし、此を複数個直列に接続して使用してもよい。
【００２１】
また、第一の中間周波出力増幅器１２には第一の定電圧回路１６で安定化された電圧が逆流防止用の第二のダイオード２３を介して給電され。第二の中間周波出力増幅器１３にも第二の定電圧回路１７で安定化された電圧が逆流防止用の第二のダイオード２４を介して給電される。
【００２２】
以上の構成において、二つの出力端子１４、１５にそれぞれ負荷となる選局装置が接続されると、そこから給電される電圧をもとに、二つの定電圧回路１６、１７が共に安定化された一定の直流電圧を出力し、電源ライン２０からは第一の低雑音増幅器２乃至第二の中間周波前置増幅器１１に給電される。一方、電圧降下手段２１、２２による電圧降下のために、第一及び第二の中間周波出力増幅器１２、１３には電源ライン２０からは給電されず、第一の中間周波出力増幅値１２には第一の定電圧回路１６から第二のダイオード２３を介して給電され、第二の中間周波出力増幅器１３には第二の定電圧回路１７から第二のダイオード２４を介して給電される。
【００２３】
このときの第一及び第二の中間周波出力増幅器１２、１３に給電される電圧（第二のダイオード２３、２４のカソードの電圧）はおよそ６．３ボルトであり、流れる電流はそれぞれ正規の約３０ｍＡである。よって、二つの中間周波出力増幅器１２、１３は所定の入力インピーダンスとなり、二つの抵抗分配器３１、３２に対してインピーダンス整合する。
【００２４】
一方、いずれか一方の出力端子、例えば第二の出力端子１５に負荷が接続されていないときは、電源ライン２０には第一の定電圧回路１６からのみ給電される。給電ライン２０の電圧は第一のダイオード１９の存在によって第二の定電圧回路１７には印加されない。そして、第一の中間周波出力増幅器１２には第一の定電圧回路１６から第二のダイオード２３を介して給電され、第二の中間周波出力増幅器１３には第二の定電圧回路１７からは給電されず、電源ライン２０から電圧降下手段２２を介して給電される。このとき、第二の中間周波出力増幅器１３に給電された電圧は第二のダイオード２４の存在によって第二の定電圧回路１７には印加されない。
【００２５】
よって、第一の中間周波出力増幅器１２に給電される電圧よりも第二の中間周波出力増幅器１３に給電される電圧が低くなる。電圧降下手段２２として一個のダイオードを使用した場合は約０．７ボルト低くなり、この時の流れる電流はおよそ２０ｍＡである。この状態での第二の中間周波出力増幅器１３の入力インピーダンスは僅かに変化するが、第一の抵抗分配器３１又は第二の抵抗分配器３２に対してほぼインピーダンス整合する。
なお、第二の出力端子１５では信号の反射が起こるが反射した信号は第二の中間周波出力増幅器１３を逆方向に伝達しないので信号切替回路３０への影響はない。
【００２６】
よって、第二の中間周波出力増幅器１３と第一又は第二の抵抗分配器３１、３２との間で信号の反射は大きくならずアイソレーションの悪化が改善できる。また、第一の出力端子１４に出力される信号レベルの変化は、第一の出力端子１５の負荷の有無に関わらず僅少となる。また、消費電流も削減できる。
上記の関係は第二の出力端子１５に負荷が接続され、第一の出力端子１４に負荷が接続されないときにも同様に成り立つ。
【００２７】
なお、第一及び第二の中間周波出力増幅器１２、１３は電流が正規の値の約半分になってもその入力インピーダンスの変化は僅かであるので、電圧降下手段２１、２２としてダイオードを使用する場合には複数のダイオードを直列に接続して降下電圧を大きくすることも可能である。
【００２８】
【発明の効果】
以上説明したように、本発明は、中間周波増幅器のうち、負荷が接続されない出力端子に対応する中間周波増幅器に流す電流を、負荷が接続された出力端子に対応する中間周波増幅器に流す電流よりも少なくしたので、消費電流を削減したうえで、中間周波増幅器と信号切替回路と間の信号反射を大きくせずアイソレーションの悪化が改善できる。また、負荷が接続された方の出力端子に出力される信号レベルの変化は、他の出力端子の負荷の有無に関わらず僅少となる。
【００２９】
また、負荷から出力端子にそれぞれ給電された電圧を一定の電圧に安定化する定電圧回路と、混合器等に電源電圧を供給するための共通の電源ラインとを有し、各定電圧回路の出力電圧を各第一のダイオードを介して共通の電源ラインに供給し、各中間周波増幅器には出力端子に対応する定電圧回路の出力電圧を各第二のダイオードを介して供給すると共に、電源ラインの電圧を電圧降下手段を介して供給したので、無負荷の出力端子に対応する中間周波増幅器に供給する電圧を低下させてそこに流れる電流を減らせる。また、無負荷の出力端子に対応する定電圧回路への電流の逆流も防止できる。
【００３０】
また、電圧降下手段を第三のダイオードで構成したので、第二のダイオードを介して中間周波増幅器に印加された電圧が電源ラインに重畳することがなく、電源ラインの電圧を一定に保てる。
【００３１】
また、第三のダイオードを複数個直列に接続したので、無負荷の出力端子に対応する中間周波増幅器へ給電する電圧のレベルを容易に設定できる。
【図面の簡単な説明】
【図１】本発明の衛星放送受信用ダウンコンバータの構成を示す回路図である。
【図２】従来の衛星放送受信用ダウンコンバータの構成を示す回路図である。
【符号の説明】
１  第一の入力端子
２  第一の低雑音増幅器
３  第一のバンドパスフィルタ
４  第一の混合器
５  発振器
６  第一の中間周波前置増幅器
７  第二の入力端子
８  第二の低雑音増幅器
９  第二のバンドパスフィルタ
１０  第二の混合器
１１  第二の中間周波前置増幅器
１２  第一の中間周波出力増幅器
１３  第二の中間周波出力増幅器
１４  第一の出力端子
１５  第二の出力端子
１６  第一の定電圧回路
１７  第二の定電圧回路
１８、１９  第一のダイオード
２０  電源ライン
２１、２２  電圧降下手段
２３、２４  第二のダイオード
３０  信号切替回路
３０ａ  第一の入力端
３０ｂ  第二の入力端
３０ｃ  第一の出力端
３０ｄ  第二の出力端
３１  第一の抵抗分配器
３２  第二の抵抗分配器
３３  第一の切替スイッチ
３４  第二の切替スイッチ
【図１】
2004235801.tif 000003
【図２】
2004235801.tif 000004